【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
第１のネットワークに接続された通信装置が新たに形成する第２のネットワークに係わる接続パラメータを管理する管理手段と、
前記第１のネットワークに接続された他の通信装置からの要求を受信した場合に、前記管理手段により管理された前記第２のネットワークに係わる接続パラメータを前記他の通信装置に通知する通知手段と
を有することを特徴とする管理装置。
【請求項２】
前記通信装置は、
前記第１のネットワークを離脱して前記第２のネットワークを形成する
ことを特徴とする請求項１に記載の管理装置。
【請求項３】
前記管理手段は、
前記第２のネットワークに移行した前記他の通信装置から前記第１のネットワークへの復帰を要求する復帰通知を受信した場合には、該復帰通知に基づき前記第２のネットワークに係わる接続パラメータを更新する
ことを特徴とする請求項２に記載の管理装置。
【請求項４】
前記通信装置に前記第２のネットワークへの移行を通知する移行通知手段
を更に有することを特徴とする請求項１乃至３のいずれか１項に記載の管理装置。
【請求項５】
前記要求は、探索要求又は接続要求のいずれか一方である
ことを特徴とする請求項１乃至４のいずれか１項に記載の管理装置。
【請求項６】
前記通知手段は、
前記接続パラメータの通知に際して、前記管理手段により前記第２のネットワークに係わる接続パラメータが複数管理されている場合には、該複数の接続パラメータの全てを前記他の通信装置に通知する
ことを特徴とする請求項１乃至５のいずれか１項に記載の管理装置。
【請求項７】
前記他の通信装置からの前記要求は、前記他の通信装置の通信相手を示す指定情報
を含み、
前記通知手段は、
前記接続パラメータの通知に際して、前記管理手段により前記第２のネットワークに係わる接続パラメータが複数管理されている場合には、前記指定情報に基づく接続パラメータを選択的に前記他の通信装置に通知する
ことを特徴とする請求項１乃至５のいずれか１項に記載の管理装置。
【請求項８】
前記通知手段は、
前記接続パラメータの通知に際して、前記他の通信装置の接続形態、暗号化方式のいずれかに基づいて前記管理手段により管理された前記第２のネットワークに係わる接続パラメータを選択的に該他の通信装置に通知する
ことを特徴とする請求項１乃至５のいずれか１項に記載の管理装置。
【請求項９】
第１のネットワークに接続された通信装置であって、
管理装置に向けて要求を送信する送信手段と、
前記送信手段により送信した前記要求の応答として前記通信装置が新たに形成する前記第１のネットワークとは別の第２のネットワークに係わる接続パラメータを前記管理装置から受信する受信手段と、
前記受信手段により受信した全ての前記第２のネットワークに係わる接続パラメータを用いて該第２のネットワーク各々に接続を行なう接続手段と、
前記接続手段により接続した前記第２のネットワークを介した通信の終了後、前記第１のネットワークへの復帰を要求する復帰通知を前記管理装置に通知する復帰通知手段と
を有することを特徴とする通信装置。
【請求項１０】
前記通信装置は、
前記第１のネットワークを離脱して前記第２のネットワークを形成する
ことを特徴とする請求項９に記載の通信装置。
【請求項１１】
前記復帰通知手段は、
前記第１のネットワークへの復帰に際して、該第１のネットワークへの復帰が一時的であれば、前記管理装置に前記復帰通知を通知せず、該復帰が一時的でなければ、前記管理装置に前記復帰通知を通知する
ことを特徴とする請求項９又は１０に記載の通信装置。
【請求項１２】
前記要求は、探索要求又は接続要求のいずれか一方である
ことを特徴とする請求項９乃至１１のいずれか１項に記載の通信装置。
【請求項１３】
管理装置の管理方法であって、
管理手段が、第１のネットワークに接続された通信装置が新たに形成する第２のネットワークに係わる接続パラメータを管理する工程と、
通知手段が、前記第１のネットワークに接続された他の通信装置からの要求を受信した場合に、前記管理手段により管理された前記第２のネットワークに係わる接続パラメータを前記他の通信装置に通知する工程と
を含むことを特徴とする管理方法。
【請求項１４】
第１のネットワークに接続された通信装置の通信方法であって、
送信手段が、管理装置に向けて要求を送信する工程と、
受信手段が、前記送信手段により送信した前記要求の応答として前記通信装置が新たに形成する前記第１のネットワークとは別の第２のネットワークに係わる接続パラメータを前記管理装置から受信する工程と、
接続手段が、前記受信手段により受信した全ての前記第２のネットワークに係わる接続パラメータを用いて該第２のネットワーク各々に接続を行なう工程と、
復帰通知手段が、前記接続手段により接続した前記第２のネットワークを介した通信の終了後、前記第１のネットワークへの復帰を要求する復帰通知を前記管理装置に通知する工程と
を含むことを特徴とする通信方法。
【請求項１５】
コンピュータを、
第１のネットワークに接続された通信装置が新たに形成する第２のネットワークに係わる接続パラメータを管理する管理手段、
前記第１のネットワークに接続された他の通信装置からの要求を受信した場合に、前記管理手段により管理された前記第２のネットワークに係わる接続パラメータを前記他の通信装置に通知する通知手段
として機能させるためのプログラム。
【請求項１６】
第１のネットワークに接続された通信装置に内蔵されたコンピュータを、
管理装置に向けて要求を送信する送信手段、
前記送信手段により送信した前記要求の応答として前記通信装置が新たに形成する前記第１のネットワークとは別の第２のネットワークに係わる接続パラメータを前記管理装置から受信する受信手段、
前記受信手段により受信した全ての前記第２のネットワークに係わる接続パラメータを用いて該第２のネットワーク各々に接続を行なう接続手段、
前記接続手段により接続した前記第２のネットワークを介した通信の終了後、前記第１のネットワークへの復帰を要求する復帰通知を前記管理装置に通知する復帰通知手段
として機能させるためのプログラム。
【手続補正２】
【補正対象書類名】明細書
【補正対象項目名】発明の名称
【補正方法】変更
【補正の内容】
【発明の名称】管理装置、通信装置、方法及びプログラム
【手続補正３】
【補正対象書類名】明細書
【補正対象項目名】０００１
【補正方法】変更
【補正の内容】
【０００１】
本発明は、管理装置、通信装置、方法及びプログラムに関する。
【手続補正４】
【補正対象書類名】明細書
【補正対象項目名】０００８
【補正方法】変更
【補正の内容】
【０００８】
上記目的を達成するため、本発明の一態様による管理装置は、第１のネットワークに接続された通信装置が新たに形成する第２のネットワークに係わる接続パラメータを管理する管理手段と、前記第１のネットワークに接続された他の通信装置からの要求を受信した場合に、前記管理手段により管理された前記第２のネットワークに係わる接続パラメータを前記他の通信装置に通知する通知手段とを有することを特徴とする。
【手続補正５】
【補正対象書類名】明細書
【補正対象項目名】０００９
【補正方法】変更
【補正の内容】
【０００９】
また、本発明の一態様は、第１のネットワークに接続された通信装置であって、
管理装置に向けて要求を送信する送信手段と、前記送信手段により送信した前記要求の応答として前記通信装置が新たに形成する前記第１のネットワークとは別の第２のネットワークに係わる接続パラメータを前記管理装置から受信する受信手段と、前記受信手段により受信した全ての前記第２のネットワークに係わる接続パラメータを用いて該第２のネットワーク各々に接続を行なう接続手段と、前記接続手段により接続した前記第２のネットワークを介した通信の終了後、前記第１のネットワークへの復帰を要求する復帰通知を前記管理装置に通知する復帰通知手段とを有することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
本発明によれば、第１のネットワークに接続している第１の通信装置が新たに形成する第２のネットワークに接続された第２の通信装置と、第１のネットワークに接続している第３の通信装置との間で通信を行なうことができる。
【手続補正１２】
【補正対象書類名】明細書
【補正対象項目名】００１６
【補正方法】変更
【補正の内容】
【００１６】
以下、本発明に係わる管理装置、通信装置、方法及びプログラムの実施形態について添付図面を参照して詳細に説明する。